(57)【要約】【課題】外観の意匠性を向上させるとともに、製造コストを抑えることができる防災機器を提供する。【解決手段】火災受信機１００は、本体１と、本体１に取り付けられる扉５と、扉５に形成される開口部５０に嵌合され、表示画面部２１ａを有するパネルユニット２０と、扉５の裏面に設けられ、パネルユニット２０を扉５に対して固定させる扉側係合部材１６とを備え、パネルユニット２０は、表示画面部２１ａの外周にフランジ２１ｂを有し、フランジ２１ｂの外縁は扉５の開口部５０の内縁と接し、フランジ２１ｂには、外縁に沿って、フランジ２１ｂの外縁から内側に向かって高くなる傾斜面２４が形成され、フランジ２１ｂの外縁の外側には、扉５の裏面に当接する当接部２５が設けられる。【選択図】図３
2019176096.tif 000002
【特許請求の範囲】
【請求項１】
本体と、
前記本体に取り付けられる扉と、
前記扉に形成される開口部に嵌合され、表示画面部を有するパネルユニットと、
前記扉の裏面に設けられ、前記パネルユニットを前記扉に対して固定させる固定部とを備え、
前記パネルユニットは、前記表示画面部の外周にフランジを有し、
前記フランジの外縁は前記扉の前記開口部の内縁と接し、
前記フランジには、前記外縁に沿って、前記フランジの前記外縁から内側に向かって高くなる面取部が形成され、
前記フランジの前記外縁の外側には、前記扉の前記裏面に当接する当接部が設けられる
防災機器。
【請求項２】
前記面取部は平坦な傾斜面を有する、請求項１に記載の防災機器。
【発明の詳細な説明】
【技術分野】
【０００１】
この発明は、火災受信機等の防災機器に関する。
【背景技術】
【０００２】
火災受信機や消火システム制御盤等の防災機器には、本体と扉とを有し、扉には液晶ディスプレイ等が搭載されたパネルユニットを着脱可能に取り付けられるようにしたものがある。このような防災機器の例として、例えば特許文献１には、扉に設けた開口部に表示操作ユニットを、受信機の正面側から嵌め込むようにして取り付けた火災受信機が開示されている。
【０００３】
特許文献１に記載される火災受信機では、特許文献１の図１１に示すように、表示操作ユニットの外周には、フランジが設けられている。表示操作ユニットを扉の開口部に嵌め込む際には、このフランジを扉の正面側から開口部の周りに当接させる。
【先行技術文献】
【特許文献】
【０００４】
【特許文献１】特開平７−２７４３１７号公報
【発明の概要】
【発明が解決しようとする課題】
【０００５】
しかしながら、特許文献１に記載される火災受信機では、図４（ａ）に示すように、扉１０５の開口部１０５ａに嵌め込まれた表示操作ユニットのフランジ１２０と扉１０５との境界が目立ってしまい、見た目に違和感が生じるという問題があった。
【０００６】
また、従来の火災受信機では、図４（ａ）に示すように、表示操作ユニットのフランジ１２０に設けられたフランジ側係合部１２３と、扉１０５の裏側に設けた扉側係合部材１１６の係合孔１１６ａとを係合させる。ここで、扉１０５の厚みｔ１１が、図４（ｂ）のに示すように、異なる厚みｔ１２となった場合、フランジ側係合部１２３と扉側係合部材１１６の係合孔１１６ａとの相対的な位置がずれてしまい、表示操作ユニットを扉１０５に固定させることができなくなる。そのため、防災機器の扉の厚みに応じて、扉側係合部材１１６の寸法を変える必要があり、製造コストが嵩んでしまうという問題があった。
【０００７】
この発明は、このような問題を解決するためになされ、外観の意匠性を向上させるとともに、製造コストを抑えることができる防災機器を提供することを目的とする。
【課題を解決するための手段】
【０００８】
上記の課題を解決するために、この発明に係る防災機器は、本体と、本体に取り付けられる扉と、扉に形成される開口部に嵌合され、表示画面部を有するパネルユニットとを備え、パネルユニットは、表示画面部の外周にフランジを有し、フランジの外縁は扉の開口部の内縁と接し、フランジには、外縁に沿って、フランジの外縁から内側に向かって高くなる面取部が形成され、フランジの外縁の外側には、扉の裏面に当接する当接部が設けられる。
【０００９】
また、この発明に係る防災機器のパネルユニットの面取部は、平坦な傾斜面を有していてもよい。
【発明の効果】
【００１０】
この発明に係る防災機器によれば、外観の意匠性を向上させるとともに、製造コストを抑えることができる。
【図面の簡単な説明】
【００１１】
【図１】この発明の実施の形態に係る防災機器の外観を示す斜視図である。
【図２】図１に示す防災機器の扉の裏面側の斜視図である。
【図３】図１に示す防災機器のパネルユニットと扉との係合部分を、切断線ＩＩＩ−ＩＩＩで切断した様子を示す拡大断面図であり、図３（ａ）〜（ｃ）は、各々、扉の厚みが異なる場合の例を示している。
【図４】従来の例に係る防災機器のパネルユニットと扉との係合部分を示す拡大断面図であり、図４（ａ）及び（ｂ）は、各々、扉の厚みが異なる場合の例を示している。
【発明を実施するための形態】
【００１２】
以下、この発明の実施の形態について添付図面に基づいて説明する。
図１に示すように、防災機器としての火災受信機１００は、内部に制御機器等が収納される本体１と、本体１の正面側に開閉可能に取り付けられる扉５とを有している。扉５には開口部５０が形成される。扉５の開口部５０にはパネルユニット２０が嵌合される。パネルユニット２０は、表示部２１と操作部１１とを有している。ここで、表示部２１は、長方形状の表示画面部２１ａと、表示画面部２１ａの外周の四辺に亘って設けられる帯状のフランジ２１ｂとを有する。表示画面部２１ａは、火災関連情報等を表示する液晶画面である。また、操作部１１は表示部２１の下に一体的に設けられている。操作部１１には、使用者が表示画面部２１ａを見ながら操作することが可能なタッチキー（図示せず）が設けられる。
なお、以下の説明において、火災受信機１００の本体１に対してパネルユニット２０が取り付けられている側を正面側Ｘ１とし、正面側Ｘ１の反対側を裏面側Ｘ２とする。
【００１３】
図２に示すように、パネルユニット２０の外縁部には、裏面側Ｘ２に立ち上がる側壁部２６が設けられる。裏面側Ｘ２から見て、側壁部２６の左側壁部２６ａおよび右側壁部２６ｂには、各々、３つのフック２３が設けられている。また、側壁部２６の上側壁部２６ｃおよび下側壁部２６ｄの各々には、外側に突出する２個の係合突起部２２が形成されている。係合突起部２２の各々には、第一係合孔２２ａが形成される。
【００１４】
さらに、扉５の裏面には、パネルユニット２０を間に挟む一対の板形状の扉側係合部材１６が設けられている。扉側係合部材１６には、パネルユニット２０の側壁部２６のフック２３の各々が係合可能な第二係合孔１６ａが形成される。また、扉５の裏面には、係合突起部２２の各々の第一係合孔２２ａに挿入されて係合可能な、ネジ穴が加工された４つの突出部１５が設けられている。
なお、扉側係合部材１６は、パネルユニット２０を扉５に対して固定する固定部を構成する。
【００１５】
図１及び図３（ａ）に示すように、正面側Ｘ１から見て、パネルユニット２０の表示部２１の上辺側、左辺側および右辺側のフランジ２１ｂの外縁２１ｃは、扉５の開口部５０の内縁５０ａに接している。また、フランジ２１ｂは、外縁２１ｃに沿って設けられる傾斜面２４を有する。傾斜面２４は、フランジ２１ｂの外縁２１ｃから内側に向かって、正面側Ｘ１に突出するように高くなる平坦な面である。また、フランジ２１ｂの外縁２１ｃの外側には、扉５の裏面に当接する当接部２５が形成される。
なお、傾斜面２４は、面取部を構成する。
【００１６】
パネルユニット２０を扉５の開口部５０に取り付ける際は、扉５を開けて、扉５の裏面側Ｘ２からパネルユニット２０の設置作業を行う。パネルユニット２０のフック２３を扉側係合部材１６の第二係合孔１６ａに係合させ、さらに、パネルユニット２０の係合突起部２２の各々の第一係合孔２２ａに扉５の突出部１５を挿入し、ネジにより固定することにより、パネルユニット２０は扉５に対して固定される。この時、パネルユニット２０の当接部２５を扉５の裏面に当接させることにより、パネルユニット２０は扉５に対して安定的に位置決めされる。
【００１７】
以上より、この実施の形態１に係る火災受信機１００のパネルユニット２０のフランジ２１ｂには、外縁２１ｃに沿って、外縁２１ｃから内側に向かって高くなる傾斜面２４が形成される。
ここで、図３（ａ）に記載される扉５の厚みは、ｔ１＝１．２ｍｍであり、図３（ｂ）に記載される扉３５の厚みは、ｔ２＝１．６ｍｍであり、図３（ｃ）に記載される扉４５の厚みは、ｔ３＝２．０ｍｍである。このように、扉５，３５，４５の厚みが各々異なっても、フランジ２１ｂの外縁２１ｃに沿って傾斜面２４が形成されることにより、いずれの場合も、フランジ２１ｂと扉５，３５，４５との間の境界が目立たなくなり、見た目の違和感が解消される。従って、パネルユニット２０を取付ける扉の厚みに関わらず、火災受信機１００の外観の意匠性がより向上する。
【００１８】
また、図３（ａ）〜（ｃ）に示すように、フランジ２１ｂの外縁２１ｃの外側には、扉５，３５，４５の裏面に当接する当接部２５が設けられる。これにより、パネルユニット２０を取付ける扉の厚みが異なる場合でも、扉側係合部材１６の寸法を変える必要なく、パネルユニット２０を扉の裏面側Ｘ２から安定して取付けることができる。従って、火災受信機１００の製造コストを抑えることが可能となる。
【００１９】
なお、この実施の形態において、面取部は、Ｒを有する丸み面取部であってもよい。
【符号の説明】
【００２０】
１  本体、５，３５，４５  扉、１６  扉側係合部材（固定部）、２０  パネルユニット、２１ａ  表示画面部、２１ｂ  フランジ、２４  傾斜面（面取部）、２５  当接部、１００  火災受信機（防災機器）。
【図１】
2019176096.tif 000003
【図２】
2019176096.tif 000004
【図３】
2019176096.tif 000005
【図４】
2019176096.tif 000006